(57)【要約】      （修正有）【課題】表示面の輝度および色度を部分的に制御することが可能な映像表示装置を提供する。【解決手段】映像表示装置１０００は、表示パネル１０と、光源部１２０ａ，１２０ｂと、導光板５１と、光制御部と、制御部とを備え、複数の光源ユニット２０の一部を制御して、複数種類の色光の少なくとも１つの色光の光量を制御することにより、表示面１０ｓの輝度および色度を部分的に制御する光制御処理を行う。【選択図】図１
2017083630.tif 000002
【特許請求の範囲】
【請求項１】
映像表示装置であって、
複数の光源ユニットと、
映像を表示するための表示面を有する表示パネルとを備え、
各前記光源ユニットは、複数種類の色光の全てまたは一部を射出し、
前記表示パネルは、前記複数種類の色光を使用して生成される光を使用して、前記表示面に前記映像を表示し、
前記映像表示装置は、前記複数の光源ユニットの一部を制御して、前記複数種類の色光の少なくとも１つの色光の光量を制御することにより、前記表示面の輝度および色度を部分的に制御する光制御処理を行う
映像表示装置。
【請求項２】
前記各光源ユニットは、前記複数種類の色光の全てを射出し、
前記各光源ユニットは、前記複数種類の色光をそれぞれ射出する複数の光源を含み、
前記複数の光源の各々は、当該光源が射出する前記色光の光量を変化させる機能を有する
請求項１に記載の映像表示装置。
【請求項３】
前記複数の光源の各々は、レーザーダイオードである
請求項２に記載の映像表示装置。
【請求項４】
前記複数の光源の各々は、ＬＥＤ（Light Emitting Diode）である
請求項２に記載の映像表示装置。
【請求項５】
前記各光源ユニットは、前記複数種類の色光の一部を射出し、
前記複数種類の色光は、赤色光、緑色光および青色光から構成され、
前記映像表示装置は、さらに、
前記赤色光を射出する第１光源を備え、
前記各光源ユニットは、
前記緑色光を射出する第２光源と、
前記青色光を射出する第３光源とを含む
請求項１に記載の映像表示装置。
【請求項６】
前記第１光源は、レーザーダイオードであり、
前記第２光源および前記第３光源の各々は、ＬＥＤ（Light Emitting Diode）である
請求項５に記載の映像表示装置。
【請求項７】
前記表示面は、ｋ（２以上の整数）個のサブ領域を有し、
各前記サブ領域には、前記複数の光源ユニットのいずれかが対応付けられており、
前記映像表示装置は、さらに、
前記各サブ領域に対応付けられた前記光源ユニットが射出する、前記複数種類の色光の一部の光量を制御する機能と、当該複数種類の色光の別の一部の光量を制御する機能とを有する光制御部を備える
請求項５または６に記載の映像表示装置。
【請求項８】
前記各光源ユニットは、前記複数種類の色光の全てを射出し、
前記表示面は、ｋ（２以上の整数）個のサブ領域を有し、
各前記サブ領域には、前記複数の光源ユニットのいずれかが対応付けられており、
前記映像表示装置は、さらに、
前記各サブ領域に対応付けられた前記光源ユニットが射出する前記複数種類の色光の光量を制御する機能を有する光制御部を備える
請求項１から４のいずれか１項に記載の映像表示装置。
【請求項９】
前記映像表示装置は、さらに、
前記ｋ個のサブ領域にそれぞれ対応するｋ個のセンサーを備え、
前記ｋ個のセンサーの各々は、当該センサーに対応する前記サブ領域の輝度および色度を特定する
請求項７または８に記載の映像表示装置。
【請求項１０】
前記映像表示装置は、前記ｋ個のセンサーにより特定された、ｋ個の前記輝度、および、ｋ個の前記色度に基づいて、前記光制御処理を行う
請求項９に記載の映像表示装置。
【請求項１１】
前記表示パネルは、液晶ディスプレイパネル、プラズマディスプレイパネルおよび有機ＥＬ（Electroluminescence）ディスプレイパネルのいずれかである
請求項１から１０のいずれか１項に記載の映像表示装置。
【発明の詳細な説明】
【技術分野】
【０００１】
本発明は、映像の状態を制御する構成を有する映像表示装置に関する。
【背景技術】
【０００２】
一般的なテレビ等の映像表示装置では、以下の各種のばらつきに伴い、当該映像表示装置毎に、ホワイトバランスのばらつきが生じる。当該各種のばらつきは、例えば、バックライトとしての光源ごとの特性のばらつきである。また、当該各種のばらつきは、例えば、光源から射出される光をカラーフィルタに透過させることにより、カラー映像を得る方式を有する映像表示装置における、当該カラーフィルタの特性のばらつきである。そのため、映像表示装置では、当該映像表示装置の出荷時において再現可能な画質を均一にするために、当該映像表示装置の生産過程においてホワイトバランスの調整が行われている。
【０００３】
また、映像表示装置は、視聴対象の映像コンテンツごとに、最適な色温度が異なる。以下においては、映像コンテンツを、単に、「コンテンツ」ともいう。例えば、日本の放送規格では、慣習的に、映像表示装置に対して設定される、基準となる色温度は、９３００Ｋ（ケルビン）である。なお、アメリカの放送規格では、映像表示装置に対して設定される、基準となる色温度は、６５００Ｋである。
【０００４】
各国の上記の事情により、例えば、日本で制作された映像コンテンツは、色温度が９３００Ｋに設定された映像表示装置で表示されることを想定されている場合が多い。また、例えば、海外で制作された映像コンテンツは、色温度が６５００Ｋに設定された映像表示装置で表示されることを想定されている場合が多い。従って、ユーザー（視聴者）は、映像表示装置が表示する映像コンテンツごとに、映像表示装置に対し色温度を調整する。これにより、ユーザーは、映像コンテンツの製作者が意図した色で、当該映像コンテンツを楽しむことができる。
【０００５】
また、液晶パネルを利用した映像表示装置では、液晶素子の特性のばらつきにより、以下の不具合が生じる場合がある。当該不具合は、例えば、映像表示装置の表示面に輝度ムラ、色ムラ等が発生するという不具合である。また、当該不具合は、例えば、映像表示装置の製造者が映像表示装置に対し初期に設定したホワイトバランスがずれるという不具合である。
【０００６】
また、映像表示装置の光学部材の経時変化により、当該表示面に、輝度ムラ、色ムラ等が生じる可能性がある。当該光学部材は、バックライトとしての光源、拡散シート、導光板等である。
【０００７】
上記のような理由により、映像表示装置では、輝度ムラ、色ムラ等を低減させるために、表示面における輝度および色度の制御（調整）を行うことが求められている。例えば、特許文献１では、色ムラを低減するための技術（以下、「関連技術Ａ」ともいう）が開示されている。具体的には、関連技術Ａでは、液晶パネルの特性（ＶＴ特性）を利用して、当該液晶パネルに対応する各画素を構成する、ＲＧＢのサブピクセルの光の透過率を調整する。
【先行技術文献】
【特許文献】
【０００８】
【特許文献１】特開２０１５−０４３０９１号公報
【発明の概要】
【発明が解決しようとする課題】
【０００９】
前述したように、映像表示装置では、輝度ムラ、色ムラ等を低減させるために、表示面における輝度および色度の制御（調整）を行うことが求められている。近年、映像表示装置では、光源として、複数の光源ユニットが使用される。そのため、複数の光源ユニットが射出する光のばらつき等により、映像表示装置の表示面において、輝度ムラ、色ムラ等が発生する場合がある。輝度ムラ、色ムラ等を低減するためには、表示面の輝度および色度を部分的に制御することが要求される。なお、関連技術Ａでは、このような要求に対応することはできない。
【００１０】
本発明は、このような問題を解決するためになされたものであり、表示面の輝度および色度を部分的に制御することが可能な映像表示装置を提供することを目的とする。
【課題を解決するための手段】
【００１１】
上記目的を達成するために、本発明の一態様に係る映像表示装置は、複数の光源ユニットと、映像を表示するための表示面を有する表示パネルとを備え、各前記光源ユニットは、複数種類の色光の全てまたは一部を射出し、前記表示パネルは、前記複数種類の色光を使用して生成される光を使用して、前記表示面に前記映像を表示し、前記映像表示装置は、前記複数の光源ユニットの一部を制御して、前記複数種類の色光の少なくとも１つの色光の光量を制御することにより、前記表示面の輝度および色度を部分的に制御する光制御処理を行う。
【発明の効果】
【００１２】
本発明によれば、表示面の輝度および色度を部分的に制御することができる。
【図面の簡単な説明】
【００１３】
【図１】本発明の実施の形態１に係る映像表示装置の内部の構成を主に示す斜視図である。
【図２】本発明の実施の形態１に係る映像表示装置の主要な構成を示すブロック図である。
【図３】表示面を説明するための図である。
【図４】本発明の実施の形態１に係る光源ユニットの構成を示す斜視図である。
【図５】導光板により生成される光を説明するための図である。
【図６】本発明の実施の形態１に係る制御処理Ｎのフローチャートである。
【図７】目標色度Ｃｔを説明するための図である。
【図８】本発明の実施の形態２に係る映像表示装置の内部の構成を主に示す斜視図である。
【図９】本発明の実施の形態２に係る映像表示装置の主要な構成を示すブロック図である。
【図１０】本発明の実施の形態２に係る制御処理Ａのフローチャートである。
【発明を実施するための形態】
【００１４】
以下、図面を参照しつつ、本発明の実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１５】
なお、実施の形態において例示される各構成要素の寸法、材質、形状、当該各構成要素の相対配置などは、本発明が適用される装置の構成、各種条件等により適宜変更されてもよい。また、各図における各構成要素の寸法は、実際の寸法と異なる場合がある。
【００１６】
＜実施の形態１＞
図１は、本発明の実施の形態１に係る映像表示装置１０００の内部の構成を主に示す斜視図である。なお、図１は、映像表示装置１０００の背面側からみた当該内部の構成を示す図である。
【００１７】
図１において、Ｘ方向、Ｙ方向およびＺ方向の各々は、互いに直交する。以下の図に示されるＸ方向、Ｙ方向およびＺ方向の各々も、互いに直交する。
【００１８】
以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００１９】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００２０】
図２は、本発明の実施の形態１に係る映像表示装置１０００の主要な構成を示すブロック図である。映像表示装置１０００は、詳細は後述するが、後述の表示面１０ｓに表示される映像の輝度および色度を制御（調整）することができる。映像表示装置１０００は、例えば、液晶ディスプレイである。
【００２１】
図１および図２を参照して、映像表示装置１０００は、表示パネル１０と、光源部１２０ａ，１２０ｂと、導光板５１と、光制御部３０と、制御部４０とを備える。表示パネル１０は、カラーの映像を表示するためのパネルである。表示パネル１０は、例えば、液晶を利用して映像を表示する液晶ディスプレイパネルである。
【００２２】
表示パネル１０は、図３の表示面１０ｓを有する。表示面１０ｓは、映像を表示するための面である。なお、表示面１０ｓの詳細については後述する。
【００２３】
光源部１２０ａ，１２０ｂの各々は、詳細は後述するが、光を射出する機能を有する。以下においては、光源部１２０ａ，１２０ｂの各々を、「光源部１２０」ともいう。
【００２４】
導光板５１には、各光源部１２０の射出する光が入射される。導光板５１は、当該導光板５１に入射された光を、表示パネル１０に向けて射出するように、構成される。
【００２５】
具体的には、導光板５１は、側面５１ｓａ，５１ｓｂを有する。光源部１２０ａは、当該光源部１２０ａが射出する光が側面５１ｓａに照射されるように、当該側面５１ｓａに対応づけて設けられる。光源部１２０ｂは、当該光源部１２０ｂが射出する光が側面５１ｓｂに照射されるように、当該側面５１ｓｂに対応づけて設けられる。導光板５１は、側面５１ｓａ，５１ｓｂを介して導光板５１に入射された光を、表示パネル１０に向けて射出するように、構成される。
【００２６】
光源部１２０ａ，１２０ｂと導光板５１とにより、エッジ型バックライトが構成される。すなわち、映像表示装置１０００は、エッジ型バックライトを含む。
【００２７】
表示パネル１０は、詳細は後述するが、導光板５１からの光を使用して、表示面１０ｓに映像を表示する。
【００２８】
各光源部１２０は、８個の光源ユニット２０を含む。すなわち、光源部１２０ａの８個の光源ユニット２０は、導光板５１の側面５１ｓａに対向するように設けられる。また、光源部１２０ｂの８個の光源ユニット２０は、導光板５１の側面５１ｓｂに対向するように設けられる。なお、各光源部１２０に含まれる光源ユニット２０の数は、８に限定されず、１から７のいずれか、または、９以上であってもよい。
【００２９】
光源ユニット２０は、詳細は後述するが、赤色光、緑色光および青色光を射出する機能を有する。以下においては、赤色光、緑色光および青色光の各々を、単に、「色光」ともいう。すなわち、光源ユニット２０は、複数種類の色光（赤色光、緑色光および青色光）を射出する。
【００３０】
図４は、本発明の実施の形態１に係る光源ユニット２０の構成を示す斜視図である。光源ユニット２０は、光源２ｒ，２ｇ，２ｂを含む。光源２ｒ，２ｇ，２ｂは、それぞれ、３種類の色光を射出する。具体的には、光源２ｒは、赤色光を出射する。光源２ｇは、緑色光を出射する。光源２ｂは、青色光を出射する。以下においては、光源２ｒ，２ｇ，２ｂの各々を、総括的に、「光源２」ともいう。
【００３１】
光源ユニット２０に含まれる各光源２は、例えば、レーザーダイオードである。レーザーダイオードである各光源２が射出する色光は、レーザー光である。以下においては、レーザーダイオードを、「レーザー光源」ともいう。
【００３２】
光源２は、当該光源２に電流が供給されることにより色光を射出する。光源２に供給される電流の量が変化することにより、当該色光の光量は変化する。すなわち、光源２は、当該光源２が射出する色光の光量を変化させる機能を有する。
【００３３】
再び、図２を参照して、光制御部３０は、各光源部１２０に含まれる全ての光源ユニット２０を駆動させるように構成される。光制御部３０は、各光源ユニット２０を駆動させる光源ドライブ回路である。光制御部３０は、詳細は後述するが、各光源部１２０に含まれる各光源ユニット２０が射出する複数種類の色光（赤色光、緑色光および青色光）の光量を制御する機能を有する。
【００３４】
以下においては、光源２ｒを駆動させるための電流を、「駆動電流Ｉｒ」ともいう。また、以下においては、光源２ｇを駆動させるための電流を、「駆動電流Ｉｇ」ともいう。また、以下においては、光源２ｂを駆動させるための電流を、「駆動電流Ｉｂ」ともいう。また、以下においては、駆動電流Ｉｒ，Ｉｇ，Ｉｂの各々を、単に、「駆動電流Ｉ」ともいう。
【００３５】
また、以下においては、駆動電流Ｉｒの電流値を、「駆動電流値Ｉｖｒ」ともいう。また、以下においては、駆動電流Ｉｇの電流値を、「駆動電流値Ｉｖｇ」ともいう。また、以下においては、駆動電流Ｉｂの電流値を、「駆動電流値Ｉｖｂ」ともいう。また、以下においては、駆動電流値Ｉｖｒ，Ｉｖｇ，Ｉｖｂの各々を、単に、「駆動電流値Ｉｖ」ともいう。
【００３６】
光制御部３０は、予め、駆動電流値Ｉｖｒ，Ｉｖｇ，Ｉｖｂを記憶している。光制御部３０は、駆動電流値Ｉｖｒ，Ｉｖｇ，Ｉｖｂに基づいて、各光源ユニット２０に含まれる光源２ｒ，２ｇ，２ｂの各々を独立して駆動させる機能を有する。具体的には、光制御部３０は、各光源ユニット２０に含まれる光源２ｒ，２ｇ，２ｂに、それぞれ、駆動電流Ｉｒ，Ｉｇ，Ｉｂを供給する。光源２ｒ，２ｇ，２ｂは、それぞれ、駆動電流Ｉｒ，Ｉｇ，Ｉｂが供給されることにより、色光を射出する。
【００３７】
制御部４０は、映像表示装置１０００内の各部を制御する機能を有する。制御部４０は、例えば、光制御部３０を制御する。また、制御部４０は、各種の演算、各種処理等を行う機能を有する。
【００３８】
次に、表示面１０ｓについて説明する。表示面１０ｓのサイズは、５０から６０インチ程度である。図３を参照して、表示面１０ｓは、一例として、１行４列の行列状に配置される複数のサブ領域を含む。具体的には、表示面１０ｓは、サブ領域ＲｇＳ１，ＲｇＳ２，ＲｇＳ３，ＲｇＳ４を含む。サブ領域ＲｇＳ１，ＲｇＳ２，ＲｇＳ３，ＲｇＳ４の各々の、平面視（ＸＺ面）における形状は、同一の矩形状である。以下においては、サブ領域ＲｇＳ１，ＲｇＳ２，ＲｇＳ３，ＲｇＳ４の各々を、「サブ領域ＲｇＳ」ともいう。
【００３９】
すなわち、表示面１０ｓは、ｋ（２以上の整数）個のサブ領域ＲｇＳを有する。本実施の形態では、ｋは、一例として、４であるとする。つまり、表示面１０ｓは、４つのサブ領域ＲｇＳに分割される。なお、表示面１０ｓが有するサブ領域ＲｇＳの数は、４に限定されない。表示面１０ｓが有するサブ領域ＲｇＳの数は、２，３，５以上であってもよい。
【００４０】
図１の光源部１２０ａに含まれる各光源ユニット２０は、サブ領域ＲｇＳ１，ＲｇＳ２，ＲｇＳ３，ＲｇＳ４のいずれかに対応付けられている。すなわち、各サブ領域ＲｇＳには、光源部１２０ａに含まれる８個の光源ユニット２０のいずれかが対応付けられている。
【００４１】
以下においては、図１の光源部１２０ａに含まれる８個の光源ユニット２０のうちの右端の光源ユニット２０を、「光源ユニット２０−１」ともいう。また、以下においては、図１の光源部１２０ａに含まれる８個の光源ユニット２０のうちの左端の光源ユニット２０を、「光源ユニット２０−８」ともいう。
【００４２】
また、以下においては、光源ユニット２０−ｎ（１以上の整数）を、「ｎ番目の光源ユニット２０」ともいう。光源ユニット２０−１は、１番目の光源ユニット２０である。光源ユニット２０−８は、８番目の光源ユニット２０である。図１において、光源ユニット２０−１の左側に隣接する光源ユニット２０は、２番目の光源ユニット２０である。
【００４３】
１番目および２番目の光源ユニット２０は、サブ領域ＲｇＳ１に対応付けられている。３番目および４番目の光源ユニット２０は、サブ領域ＲｇＳ２に対応付けられている。５番目および６番目の光源ユニット２０は、サブ領域ＲｇＳ３に対応付けられている。７番目および８番目の光源ユニット２０は、サブ領域ＲｇＳ４に対応付けられている。
【００４４】
導光板５１は、各サブ領域ＲｇＳに対応付けられている各光源ユニット２０が射出し、かつ、当該導光板５１に入射される赤色光、緑色光および青色光を合成して、白色光を生成するように構成される。当該白色光の平面視（ＸＺ面）における形状は、矩形状である。また、導光板５１は、生成した白色光を、表示パネル１０に向けて射出するように、構成される。以下においては、白色光を、「光Ｌｔｗ」ともいう。
【００４５】
例えば、導光板５１は、サブ領域ＲｇＳ１に対応付けられている、１番目の光源ユニット２０が側面５１ｓａに向けて射出し、かつ、当該導光板５１に入射される、赤色光、緑色光および青色光を合成して、光Ｌｔｗ（白色光）を生成する。生成された光Ｌｔｗの平面視（ＸＺ面）における形状は、例えば、図５に示されるサブ領域ＲｇＳ１ａの形状である。サブ領域ＲｇＳ１ａの形状は、Ｚ軸方向に沿った長辺を有する長方形（以下、「長方形Ｒｃｔ」ともいう）である。
【００４６】
そして、導光板５１は、生成した光Ｌｔｗを、表示パネル１０に向けて射出する。以下においては、表示面１０ｓ全体に表示される映像を、「表示面映像」ともいう。表示パネル１０は、導光板５１からの光Ｌｔｗを使用して、表示面映像のうち、サブ領域ＲｇＳ１ａに対応する部分の映像を生成する。
【００４７】
また、２番目から８番目の光源ユニット２０の各々が射出する赤色光、緑色光および青色光も、上記と同様に、導光板５１により、平面視（ＸＺ面）における形状が長方形Ｒｃｔである光Ｌｔｗとなり、表示パネル１０に向かう。これにより、表示パネル１０は、平面視における形状が長方形Ｒｃｔである８本の光Ｌｔｗを使用して、表示面映像を生成し、当該表示面映像を、表示面１０ｓに表示する。
【００４８】
また、図１の光源部１２０ｂに含まれる８個の光源ユニット２０は、光源部１２０ａに含まれる８個の光源ユニット２０と同様に、サブ領域ＲｇＳ１，ＲｇＳ２，ＲｇＳ３，ＲｇＳ４のいずれかに対応付けられている。例えば、光源部１２０ｂに含まれる１番目および２番目の光源ユニット２０は、サブ領域ＲｇＳ１に対応付けられている。
【００４９】
また、導光板５１は、各サブ領域ＲｇＳに対応付けられている、光源部１２０ｂに含まれる各光源ユニット２０が射出し、かつ、当該導光板５１に入射される赤色光、緑色光および青色光を合成して、光Ｌｔｗを生成するように構成される。当該光Ｌｔｗの形状は、導光板５１が、光源部１２０ａに含まれる各光源ユニット２０が射出する赤色光、緑色光および青色光を合成して生成する光Ｌｔｗの形状と同じである。また、導光板５１は、生成した光Ｌｔｗを、表示パネル１０に向けて射出するように、構成される。なお、表示パネル１０が、表示面映像を生成する処理は、前述した処理と同様なので説明は省略する。
【００５０】
すなわち、表示パネル１０は、光源部１２０ａおよび光源部１２０ｂの各々に含まれる各光源ユニット２０からの赤色光、緑色光および青色光を使用して生成される光Ｌｔｗを使用して表示面映像を生成し、当該表示面映像を、表示面１０ｓに表示する。換言すれば、表示パネル１０は、複数種類の色光（赤色光、緑色光および青色光）を使用して生成される光Ｌｔｗ（白色光）を使用して、表示面１０ｓに映像を表示する。
【００５１】
また、図２および図３を参照して、映像表示装置１０００は、さらに、センサーＳｎ１，Ｓｎ２，Ｓｎ３，Ｓｎ４を備える。センサーＳｎ１，Ｓｎ２，Ｓｎ３，Ｓｎ４は、それぞれ、サブ領域ＲｇＳ１，ＲｇＳ２，ＲｇＳ３，ＲｇＳ４に対応付けられている。すなわち、映像表示装置１０００は、サブ領域ＲｇＳ１，ＲｇＳ２，ＲｇＳ３，ＲｇＳ４にそれぞれ対応するセンサーＳｎ１，Ｓｎ２，Ｓｎ３，Ｓｎ４を備える。センサーＳｎ１，Ｓｎ２，Ｓｎ３，Ｓｎ４は、導光板５１のうち、表示パネル１０が設けられる面と反対側の面側に設けられる。例えば、図１において、センサーＳｎ１，Ｓｎ２，Ｓｎ３，Ｓｎ４は、導光板５１の手前側に設けられる。
【００５２】
以下においては、センサーＳｎ１，Ｓｎ２，Ｓｎ３，Ｓｎ４の各々を、「センサーＳｎ」ともいう。すなわち、映像表示装置１０００は、ｋ個のセンサーＳｎを備える。本実施の形態では、ｋは、一例として、４である。センサーＳｎは、光の輝度および色度を特定（検出）する機能を有する。
【００５３】
なお、図３では、各センサーＳｎの位置を把握しやすくするために、表示面１０ｓ、および、センサーＳｎ１，Ｓｎ２，Ｓｎ３，Ｓｎ４のみを示している。すなわち、図３では、表示パネル１０の背面側に存在する導光板５１を表示していない。
【００５４】
図３のように、各センサーＳｎは、平面視（ＸＺ面）において、当該センサーＳｎに対応するサブ領域ＲｇＳの中心部に配置される。例えば、センサーＳｎ１は、当該センサーＳｎ１に対応するサブ領域ＲｇＳ１の中心部に配置される。なお、各センサーＳｎは、平面視（ＸＺ面）において、当該センサーＳｎに対応するサブ領域ＲｇＳの中心に配置されてもよい。
【００５５】
なお、センサーＳｎ１のＹ軸方向の位置は、サブ領域ＲｇＳ１のＹ軸方向の位置と異なる。具体的には、センサーＳｎ１は、−Ｙ方向において、表示パネル１０に含まれる表示面１０ｓのサブ領域ＲｇＳ１、導光板５１、センサーＳｎ１の順で並ぶように、設けられる。なお、Ｙ軸方向において、各センサーＳｎは、当該センサーＳｎに対応するサブ領域ＲｇＳから、距離Ｌｘだけ離れている。センサーＳｎ２，Ｓｎ３，Ｓｎ４の各々も、センサーＳｎ１と同様な位置に設けられる。
【００５６】
以下においては、サブ領域ＲｇＳに照射される光Ｌｔｗを、「サブ領域光」ともいう。また、以下においては、平面視（ＸＺ面）における、サブ領域光の中心部を、「中心サブ領域光」ともいう。
【００５７】
各センサーＳｎは、当該センサーＳｎに対応するサブ領域ＲｇＳの中心サブ領域光の輝度および色度を特定可能なように構成される。各センサーＳｎは、一例として、以下のように構成される。
【００５８】
Ｙ軸方向において、センサーＳｎは、当該センサーＳｎに対応するサブ領域ＲｇＳから、距離Ｌｘだけ離れている。また、センサーＳｎと、当該センサーＳｎに対応するサブ領域ＲｇＳとの間には、表示パネル１０、導光板５１が存在する。
【００５９】
そのため、各センサーＳｎは、表示パネル１０および導光板５１の光の透過率、距離Ｌｘ等の影響が考慮された、中心サブ領域光の輝度および色度を特定可能なように構成される。
【００６０】
中心サブ領域光の輝度および色度は、例えば、実際に、センサーＳｎが検出する光の輝度および色度に、補正係数を乗算することにより特定される。当該補正係数は、例えば、事前に、実験等により求められた値が使用される。各センサーＳｎは、予め、当該補正係数を記憶している。そして、各センサーＳｎは、当該センサーＳｎが検出する光の輝度および色度に、補正係数を乗算することにより、中心サブ領域光の輝度および色度を特定（検出）する。すなわち、各センサーＳｎは、当該センサーＳｎに対応するサブ領域ＲｇＳの輝度および色度を特定する。
【００６１】
そして、各センサーＳｎは、中心サブ領域光の輝度および色度を、制御部４０へ送信する。各センサーＳｎは、以上のように構成される。
【００６２】
なお、センサーＳｎの構成は、上記の構成に限定されない。例えば、センサーＳｎは、当該センサーＳｎが検出した光の輝度および色度を、そのまま、制御部４０へ送信する構成としてもよい。当該構成では、例えば、制御部４０が、受信した輝度および色度に、上記の補正係数を乗算することにより、中心サブ領域光の輝度および色度を特定する。
【００６３】
また、映像表示装置１０００が備えるセンサーＳｎの数は、４に限定されない。映像表示装置１０００が備えるセンサーＳｎの数は、２，３，５以上であってもよい。
【００６４】
次に、映像表示装置１０００が行う処理（以下、「制御処理Ｎ」ともいう）について説明する。図６は、本発明の実施の形態１に係る制御処理Ｎのフローチャートである。制御処理Ｎでは、表示面１０ｓに白のベタ画像が表示された状態で、輝度および色度が制御（調整）される。
【００６５】
ここで、以下の前提Ｐｒ１を考慮する。前提Ｐｒ１では、表示面１０ｓが有するサブ領域ＲｇＳの数を示すｋは、４である。そのため、映像表示装置１０００が備えるセンサーＳｎの数を示すｋは４である。前提Ｐｒ１では、制御部４０は、後述の目標色度Ｃｔを予め記憶している。
【００６６】
図７は、目標色度Ｃｔを説明するための図である。図７は、ｕ’ｖ’色度図を示す。ｕ’ｖ’色度図は、ＣＩＥ  １９７６  ＵＣＳ色度図である。以下においては、ｕ’ｖ’色度図を、「色度図ｕｖ」ともいう。また、以下においては、色度図ｕｖ（ｕ’ｖ’色度図）における座標を、「色座標」または「ｕ’ｖ’座標」ともいう。
【００６７】
目標色度Ｃｔは、例えば、図７の色度図ｕｖに示される色度である。色度図ｕｖには、領域Ｒｇｗが示される。領域Ｒｇｗの形状は円である。以下においては、Ｒ，Ｇ，Ｂの成分が全く存在しない、基準となる白を、「基準白」ともいう。また、以下においては、基準白の色度を、「色度Ｃｂｗ」または「基準白色度Ｃｂｗ」ともいう。色度図ｕｖにおける、色度Ｃｂｗの位置（色座標）は、領域Ｒｇｗの中心の位置である。
【００６８】
目標色度Ｃｔは、一例として、領域Ｒｇｗ内に存在する、色度Ｃｂｗを含む複数種類の白の色度（色座標）で表現される。複数種類の白のいずれかは、例えば、赤の成分を微小に含む白である。すなわち、目標色度Ｃｔは、複数種類の白の色度（色座標）を含む。
【００６９】
次に、前提Ｐｒ１における制御処理Ｎについて説明する。制御処理Ｎでは、まず、ステップＳ１１０の処理が行われる。
【００７０】
ステップＳ１１０では、発光処理が行われる。発光処理では、光制御部３０が、光源部１２０ａおよび光源部１２０ｂの各々に含まれる各光源ユニット２０に含まれる光源２ｒ，２ｇ，２ｂを発光させる。
【００７１】
例えば、光制御部３０は、光源部１２０ａに含まれる各光源ユニット２０に含まれる光源２ｒ，２ｇ，２ｂに、それぞれ、駆動電流Ｉｒ，Ｉｇ，Ｉｂを供給する。駆動電流Ｉｒ，Ｉｇ，Ｉｂの値は、それぞれ、駆動電流値Ｉｖｒ，Ｉｖｇ，Ｉｖｂである。
【００７２】
これにより、各光源ユニット２０に含まれる光源２ｒ，２ｇ，２ｂは、それぞれ、赤色光、緑色光および青色光を射出する。そのため、各光源ユニット２０が射出する赤色光、緑色光および青色光が、導光板５１に入射する。
【００７３】
また、導光板５１は、前述したように、光源部１２０ａおよび光源部１２０ｂの各々に含まれる各光源ユニット２０からの赤色光、緑色光および青色光を使用して、光Ｌｔｗを生成する。そして、導光板５１は、生成した光Ｌｔｗを表示パネル１０に向けて射出する。
【００７４】
ステップＳ１２０では、映像表示処理が行われる。映像表示処理では、表示パネル１０が、光源部１２０ａおよび光源部１２０ｂの各々に含まれる各光源ユニット２０からの赤色光、緑色光および青色光を使用して生成した光Ｌｔｗを使用して、表示面映像を生成する。表示面映像は、白のベタ画像である。そして、表示パネル１０は、表示面映像を、表示面１０ｓに表示する。
【００７５】
ステップＳ１３０では、光特性特定処理が行われる。光特性特定処理では、各センサーＳｎが、当該センサーＳｎに対応するサブ領域ＲｇＳの中心サブ領域光の輝度および色度を特定（検出）する。
【００７６】
以下においては、センサーＳｎにより特定された輝度を、「輝度Ｙｎ」ともいう。輝度Ｙｎは、中心サブ領域光の輝度である。また、以下においては、センサーＳｎにより特定された色度を、「色度Ｃｎ」ともいう。色度Ｃｎは、中心サブ領域光の色度である。色度Ｃｎは、一例として、ｕ’ｖ’座標で表現される。
【００７７】
そして、各センサーＳｎは、輝度Ｙｎおよび色度Ｃｎを、制御部４０へ送信する。これにより、制御部４０は、ｋ個のセンサーＳｎがそれぞれ特定したｋ個の輝度Ｙｎと、ｋ個のセンサーＳｎがそれぞれ特定したｋ個の色度Ｃｎとを受信する。本実施の形態では、ｋは、一例として、４である。
【００７８】
以下においては、ｋ個の輝度Ｙｎのうち、値が最も小さい輝度Ｙｎを、「最小輝度Ｙｎ」ともいう。また、以下においては、目標となる輝度を、「目標輝度Ｙｔ」ともいう。目標輝度Ｙｔは、例えば、最小輝度Ｙｎの０．８倍の値から最小輝度Ｙｎまでの範囲を含む輝度である。
【００７９】
また、以下においては、ｋ個の輝度Ｙｎのうち、値が最も大きい輝度Ｙｎを、「最大輝度Ｙｎ」ともいう。また、以下においては、最大輝度Ｙｎに対する最小輝度Ｙｎの割合（比）を、「輝度ムラ判定値Ｊｙ」または「Ｊｙ」ともいう。
【００８０】
また、以下においては、色度図ｕｖにおいて、色度Ｃｎの位置から色度Ｃｂｗの位置までの距離を、「色ムラ判定値Ｊｃ」または「Ｊｃ」ともいう。
【００８１】
ステップＳ１４０では、判定値算出処理が行われる。判定値算出処理では、制御部４０が、受信したｋ個の輝度Ｙｎを用いて、前述の定義にしたがって、輝度ムラ判定値Ｊｙを算出する。具体的には、まず、制御部４０は、ｋ個の輝度Ｙｎを使用して、最小輝度Ｙｎおよび最大輝度Ｙｎを特定する。そして、制御部４０は、最大輝度Ｙｎに対する最小輝度Ｙｎの割合を、輝度ムラ判定値Ｊｙとして算出する。
【００８２】
また、制御部４０は、受信したｋ個の色度Ｃｎを用いて、前述の定義にしたがって、色ムラ判定値Ｊｃを算出する。例えば、制御部４０は、色度図ｕｖにおいて、サブ領域ＲｇＳ１に対応するセンサーＳｎ１から受信した色度Ｃｎの位置から、色度Ｃｂｗの位置までの距離を、色ムラ判定値Ｊｃとして算出する。算出された色ムラ判定値Ｊｃは、サブ領域ＲｇＳ１に対応する値である。
【００８３】
制御部４０は、サブ領域ＲｇＳ１以外の各サブ領域ＲｇＳに対応する色ムラ判定値Ｊｃについても、上記と同様にして算出する。これにより、制御部４０は、ｋ個のサブ領域ＲｇＳにそれぞれ対応するｋ個の色ムラ判定値Ｊｃを算出する。
【００８４】
ステップＳ１５０では、制御部４０が、映像品質条件が満たされるか否かを判定する。映像品質条件は、輝度ムラ判定値Ｊｙが輝度ムラ基準値未満であり、かつ、ｋ個の色ムラ判定値Ｊｃの全てが色ムラ基準値未満であるという条件である。当該輝度ムラ基準値は、例えば、０．０１から０．１までの範囲のいずれかの値である。また、色ムラ基準値は、例えば、図７の領域Ｒｇｗが示す円の半径である。
【００８５】
ステップＳ１５０においてＹＥＳならば、この制御処理Ｎは終了する。一方、ステップＳ１５０においてＮＯならば、処理はステップＳ１６０へ移行する。
【００８６】
ここで、以下の前提Ｐｒ１Ａを考慮する。前提Ｐｒ１Ａでは、一例として、輝度ムラ判定値Ｊｙが輝度ムラ基準値以上である。また、前提Ｐｒ１Ａでは、一例として、ｋ個の色ムラ判定値Ｊｃのうち、サブ領域ＲｇＳ１に対応する色ムラ判定値Ｊｃのみが色ムラ基準値以上である。
【００８７】
また、前提Ｐｒ１Ａでは、一例として、サブ領域ＲｇＳ１に対応する色度Ｃｎの位置が、図７の位置Ｃｐｎである。すなわち、サブ領域ＲｇＳ１に対応する色度Ｃｎは、赤の成分をわずかに含む色度である。このような前提Ｐｒ１Ａでは、ステップＳ１５０でＮＯと判定され、ステップＳ１６０の処理が行われる。
【００８８】
ステップＳ１６０では、光制御処理が行われる。光制御処理は、詳細は後述するが、映像表示装置１０００に含まれる複数の光源ユニット２０の一部を制御して、複数種類の色光の少なくとも１つの色光の光量を制御することにより、表示面１０ｓの輝度および色度を部分的に制御する処理である。以下においては、光源２が射出する色光を、「射出光」ともいう。
【００８９】
光制御処理では、制御部４０が、前述の映像品質条件が満たされるように、必要に応じて、光量変化処理および色度変化処理の両方または一方を行う。光量変化処理は、射出光の光量を変化させる処理である。色度変化処理は、センサーＳｎにより特定される色度を変化させる処理である。
【００９０】
前提Ｐｒ１Ａにおける光制御処理では、制御部４０が、光量変化処理および色度変化処理を行う。前提Ｐｒ１Ａにおける光量変化処理では、制御部４０が、例えば、最大輝度Ｙｎである輝度Ｙｎを送信したセンサーＳｎ１に対応するサブ領域ＲｇＳ１に対応付けられた各光源ユニット２０を、制御対象の光源ユニットとする。
【００９１】
そして、制御部４０は、制御対象の各光源ユニット２０に含まれる各光源２への駆動電流Ｉの量を低下させる処理を行う。制御部４０は、例えば、光制御部３０が制御対象の各光源ユニット２０に含まれる各光源２へ光量低減電流を供給するように、当該光制御部３０を制御する。光量低減電流は、例えば、駆動電流値Ｉｖの０．９倍の電流値の駆動電流Ｉである。
【００９２】
これにより、制御対象の各光源ユニット２０に対応するサブ領域ＲｇＳ１の輝度が低下する。その結果、制御対象の各光源ユニット２０に対応するサブ領域ＲｇＳ１の輝度は、目標輝度Ｙｔまたは最小輝度Ｙｎに近づく。
【００９３】
また、前提Ｐｒ１Ａにおける色度変化処理では、制御部４０が、サブ領域ＲｇＳ１に対応付けられた各光源ユニット２０を、制御対象の光源ユニットとする。
【００９４】
そして、前提Ｐｒ１Ａにおける色度変化処理では、制御部４０が、制御対象の各光源ユニット２０に含まれる光源２ｒへ色度変更電流を供給するように、当該光制御部３０を制御する。当該色度変更電流は、例えば、前提Ｐｒ１Ａにおける光量変化処理により低減された駆動電流値Ｉｖｒの０．９倍の電流値の駆動電流Ｉである。
【００９５】
これにより、制御対象の各光源ユニット２０が射出する赤色光の光量が低下する。そのため、サブ領域ＲｇＳ１に対応する色度Ｃｎに含まれる赤の成分が減少する。したがって、図７の色度図ｕｖにおいて、サブ領域ＲｇＳ１に対応する色度Ｃｎの位置が、位置Ｃｐｎから、色度Ｃｂｗに近い位置に移動する。その結果、色度図ｕｖにおいて、サブ領域ＲｇＳ１に対応する色度Ｃｎは、目標色度Ｃｔに近づく。
【００９６】
光制御処理が終了すると、再度、ステップＳ１３０の処理が行われる。
【００９７】
前提Ｐｒ１Ａでは、映像品質条件が満たされるまで（ステップＳ１５０でＹＥＳ）、ステップＳ１３０，Ｓ１４０，Ｓ１６０の処理が繰り返し行われる。そして、映像品質条件が満たされると、この制御処理Ｎは終了する。
【００９８】
以上のようにして制御処理Ｎが行われることにより、映像表示装置１０００は、ｋ個のセンサーＳｎにより特定された、ｋ個の輝度Ｙｎ、および、ｋ個の色度Ｃｎに基づいて、光制御処理を行う。
【００９９】
以上説明したように、本実施の形態によれば、映像表示装置１０００は、複数の光源ユニット２０の一部を制御して、複数種類の色光の少なくとも１つの色光の光量を制御することにより、表示面１０ｓの輝度および色度を部分的に制御する光制御処理を行う。すなわち、本実施の形態の映像表示装置１０００は、表示面１０ｓの輝度および色度を部分的に制御することができる。
【０１００】
また、本実施の形態によれば、映像表示装置１０００は、ｋ個のセンサーＳｎにより特定された、ｋ個の輝度Ｙｎ、および、ｋ個の色度Ｃｎに基づいて、光制御処理を行う。これにより、表示映像に、輝度ムラおよび色ムラが存在する場合でも、当該輝度ムラおよび色ムラを低減することができる。
【０１０１】
例えば、ｋ個のサブ領域ＲｇＳのいずれかに対応付けられた光源ユニット２０に含まれる光源２の特性が、経時劣化等により、低下した場合でも、当該輝度ムラおよび色ムラを低減することができる。
【０１０２】
なお、本実施の形態では、表示面１０ｓは、一例として、１行４列の行列状に配置される４個のサブ領域を含む構成としたがこれに限定されない。表示面１０ｓは、任意の行列状に配置される複数のサブ領域を含む構成としてもよい。任意の行列状は、例えば、例えば、１行３列、２行３列、３行３列、２行４列、３行４列、６行５列、７行５列等の行列状である。すなわち、表示面１０ｓを構成するサブ領域の数を多くする程、輝度ムラ、色度ムラの低減効果を向上させることができる。
【０１０３】
ただし、例えば、１０行２０列の行列状に配置される２００個のサブ領域のように、サブ領域の数を非常に多くした場合、以下の問題が生じる。当該問題は、輝度ムラ、色度ムラの制御に手間がかかり、良好な低減効果が期待できないという問題である。
【０１０４】
本実施の形態では、表示面のサイズが５０から６０インチ程度である映像表示装置を想定し、表示面１０ｓを構成するサブ領域の数を４とした。なお、さらに大型の映像表示装置に本発明を適用する際は、表示面の輝度ムラおよび色度ムラをできるだけ抑えるために、さらに表示面を構成するサブ領域の数を多くする必要がある。
【０１０５】
本実施の形態では、エッジ型バックライトが使用される。当該エッジ型バックライトでは、赤色光を含む各色光（レーザー光）が、導光板５１の側面から当該導光板５１に入射される。以下においては、赤色光を射出するＬＥＤ（Light Emitting Diode）を、「赤色ＬＥＤ」ともいう。
【０１０６】
なお、一般的に、赤色ＬＥＤは発光効率が悪い。そのため、本実施の形態のエッジ型バックライトにおいて、仮に、赤色ＬＥＤを使用する場合、非常に多くの赤色ＬＥＤが必要となる。
【０１０７】
また、導光板の側面に配置可能なＬＥＤの数には限りがある。そのため、ＬＥＤを使用する映像表示装置では、エッジ型バックライトよりも、直下型バックライトを使用する場合が多い。
【０１０８】
直下型バックライトは、表示面の直下に複数の光源が敷き詰められる。直下型バックライトは、エッジ型バックライトよりも、多くのＬＥＤを配置できるという特徴を有する。しかしながら、赤色ＬＥＤは温度依存性が高い。そのため、各ＬＥＤのわずかな温度差によっても、発光量に差が生じてしまう。これにより、仮に、エッジ型バックライトにおいて複数のＬＥＤを使用した場合、各ＬＥＤの光量の差が、そのまま、表示面において、輝度ムラおよび色度ムラとなって現れる。したがって、ＬＥＤを使用したエッジ型バックライトは、実現が困難である。以下においては、赤色のレーザー光を射出する光源を、「赤色レーザー光源」ともいう。
【０１０９】
なお、赤色レーザー光源は単位面積当たりの光の出力が大きい。そのため、赤色レーザー光源を使用するエッジ型バックライトに必要な当該赤色レーザー光源の数は、赤色ＬＥＤを使用するエッジ型バックライトに必要な当該赤色ＬＥＤの数より少ない。したがって、本実施の形態では、映像表示装置１０００において、赤色レーザー光源である光源２ｒを使用したエッジ型バックライトを使用することができる。
【０１１０】
なお、本実施の形態では、光源ユニット２０に含まれる各光源２は、レーザーダイオードである構成としたがこれに限定されない。光源ユニット２０に含まれる各光源２は、例えば、ＬＥＤであってもよい。
【０１１１】
なお、関連技術Ａでは、液晶パネルにおける光の透過率をサブピクセルごとに調節する。そのため、当該液晶パネルが再現可能な輝度のダイナミックレンジが低い。したがって、関連技術Ａでは、液晶パネルを使用した映像表示装置の階調表現能力が低いという問題があった。また、関連技術Ａでは、各サブピクセルの透過率を低くした場合、映像表示装置が表現可能な最大輝度が低下してしまうという問題がある。
【０１１２】
近年、映像のダイナミックレンジを拡大することにより、高いコントラストを有する映像を得るハイダミックレンジも注目されている。そのため、少しでも映像表示装置が表現可能な最大輝度を高める必要がある。
【０１１３】
そこで、本実施の形態の映像表示装置１０００は上記のように構成される。そのため、当該映像表示装置１０００は、上記の各問題を解決することができる。例えば、本実施の形態の映像表示装置１０００は、関連技術Ａのように、液晶パネルのサブピクセルの透過率を低下させることなく、表示面の輝度および色度を制御（調整）することができる。そのため、映像表示装置１０００は、映像の諧調表現能力を損なうことなく、表示面の輝度および色度の制御が可能である。
【０１１４】
＜実施の形態２＞
実施の形態１のエッジ型バックライトでは、光の三原色（赤色光、緑色光および青色光）を射出する光源として、レーザー光源が使用されていた。そのため、実施の形態１のエッジ型バックライトを使用した映像表示装置１０００は色の再現範囲が広いという特徴を有する。
【０１１５】
映像表示装置の色再現範囲を拡大するためには、映像表示装置において、色純度の高い光を射出する光源を使用する構成が考えられる。具体的には、映像表示装置において、赤色光、緑色光および青色光の分光スペクトルの半値幅が非常に狭い光源を使用することが望ましい。理論的に単一波長光源であるレーザー光源を、映像表示装置において使用することが理想的である。
【０１１６】
以下においては、白色光を射出するＬＥＤを「白色ＬＥＤ」ともいう。また、以下においては、青色光を射出するＬＥＤを「青色ＬＥＤ」ともいう。また、以下においては、緑色光を射出するＬＥＤを「緑色ＬＥＤ」ともいう。
【０１１７】
現在、液晶ディスプレイのバックライトに使用される白色ＬＥＤは、青色ＬＥＤと黄色蛍光体とを用いて構成されるものが多い。以下においては、青色ＬＥＤと黄色蛍光体とを用いて構成される白色ＬＥＤを、「青利用白色ＬＥＤ」ともいう。青利用白色ＬＥＤは、青色ＬＥＤが射出する青色光を、黄色蛍光体に照射させるせることにより、白色光を射出する。そのため、青利用白色ＬＥＤが射出する白色光は、色純度が低い。
【０１１８】
青利用白色ＬＥＤを使用した映像表示装置よりも、色再現範囲の広い映像表示装置を実現するには、映像表示装置に、赤色光、緑色光および青色光をそれぞれ射出する３つの単色ＬＥＤを使用するという構成も考えられる。しかしながら、上記の理由により、映像表示装置において、赤色ＬＥＤを使用する構成は望ましくない。
【０１１９】
また、赤色ＬＥＤ、緑色ＬＥＤ、青色ＬＥＤといった単色ＬＥＤに対応する上記の半値幅は、レーザー光源に対応する半値幅よりも広い。そのため、仮に、単色ＬＥＤを使用した映像表示装置では、レーザー光源を使用した映像表示装置の色再現範囲と同等の色再現範囲を実現することはできない。
【０１２０】
そこで、本実施の形態では、緑色ＬＥＤ、青色ＬＥＤと、赤色レーザー光源とを使用した映像表示装置について説明する。
【０１２１】
図８は、本発明の実施の形態２に係る映像表示装置１０００Ａの内部の構成を主に示す斜視図である。図９は、本発明の実施の形態２に係る映像表示装置１０００Ａの主要な構成を示すブロック図である。映像表示装置１０００Ａは、例えば、液晶ディスプレイである。
【０１２２】
図８および図９を参照して、映像表示装置１０００Ａは、表示パネル１０と、導光板５２，５３と、光源部１２Ｒａ，１２Ｒｂと、光源部１２０Ａと、光制御部３０と、制御部４０と、センサーＳｎ１，Ｓｎ２，Ｓｎ３と、反射シートＳＨ１と、フレームＦＬ１とを備える。
【０１２３】
表示パネル１０は、実施の形態１で説明したので詳細な説明は省略する。表示パネル１０は、表示面１０ｓを有する。
【０１２４】
本実施の形態の表示面１０ｓは、一例として、１行３列の行列状に配置される複数のサブ領域を含む。具体的には、表示面１０ｓは、サブ領域ＲｇＳ１，ＲｇＳ２，ＲｇＳ３を有する。以下においては、サブ領域ＲｇＳ１，ＲｇＳ２，ＲｇＳ３の各々を、「サブ領域ＲｇＳ」ともいう。
【０１２５】
すなわち、表示面１０ｓは、ｋ（２以上の整数）個のサブ領域ＲｇＳを有する。本実施の形態では、ｋは、一例として、３であるとする。つまり、表示面１０ｓは、３つのサブ領域ＲｇＳに分割される。なお、表示面１０ｓが有するサブ領域ＲｇＳの数は、３に限定されない。表示面１０ｓが有するサブ領域ＲｇＳの数は、２，４以上であってもよい。
【０１２６】
導光板５２，５３の各々は、詳細は後述するが、光を特定の方向へ伝播させるように構成される。導光板５２，５３の各々の外形は、同じである。導光板５２は、側面５２ｓａ，５２ｓｂと、背面５２ｃとを有する。導光板５３は、背面５３ｃを有する。導光板５２は、表示パネル１０の背面側に設けられる。導光板５３は、導光板５２の背面５２ｃ側に設けられる。
【０１２７】
光源部１２Ｒａ，１２Ｒｂの各々は、赤色光を出射する機能を有する。光源部１２Ｒａは、当該光源部１２Ｒａが射出する赤色光が側面５２ｓａに照射されるように、当該側面５２ｓａに対応づけて設けられる。光源部１２Ｒｂは、当該光源部１２Ｒｂが射出する赤色光が側面５２ｓｂに照射されるように、当該側面５２ｓｂに対応づけて設けられる。これにより、導光板５２に、光源部１２Ｒａ，１２Ｒｂの各々が射出する赤色光が入射する。以下においては、光源部１２Ｒａ，１２Ｒｂの各々を、「光源部１２Ｒ」ともいう。
【０１２８】
各光源部１２Ｒは、ｋ個のサブ領域ＲｇＳ（サブ領域ＲｇＳ１，ＲｇＳ２，ＲｇＳ３）の全てに対応付けられている。
【０１２９】
各光源部１２Ｒは、ｖ（２以上の整数）個の光源２ｒを含む。各光源部１２Ｒのｖ個の光源２ｒは、Ｚ軸方向に並ぶように設けられる。なお、図８では、図の簡略化のために、ｖが、一例として、４である場合の構成を示している。なお、実際には、ｖは、例えば、１０以上である。光源２ｒは、赤色光を射出する。光源２ｒは、レーザーダイオードである。光源２ｒは、当該光源２ｒが射出する赤色光の光量を変化させる機能を有する。
【０１３０】
光源部１２０Ａは、導光板５３の背面５３ｃ側に設けられる。光源部１２０Ａは、２種類の色光（緑色光、青色光）を、導光板５３に向けて射出する機能を有する。光源部１２０Ａは、光源ユニット２０Ａ１，２０Ａ２，２０Ａ３と、ｕ（２以上の整数）個の基板ＳＢ１とを含む。なお、図８では、図の簡略化のために、ｕが、一例として、４である場合の構成を示している。なお、実際には、ｕは、例えば、１０以上である。
【０１３１】
光源ユニット２０Ａ１，２０Ａ２，２０Ａ３の各々は、２種類の色光（緑色光、青色光）を射出する機能を有する。すなわち、光源ユニット２０Ａ１，２０Ａ２，２０Ａ３の各々は、３種類の色光（赤色光、緑色光および青色光）の一部である緑色光および青色光を射出する機能を有する。
【０１３２】
以下においては、光源ユニット２０Ａ１，２０Ａ２，２０Ａ３の各々を、「光源ユニット２０Ａ」ともいう。光源部１２０Ａは、ｋ個の光源ユニット２０Ａを含む。光源ユニット２０Ａは、ｋ個のサブ領域ＲｇＳのいずれかに対応付けられている。
【０１３３】
具体的には、光源ユニット２０Ａ１，２０Ａ２，２０Ａ３は、それぞれ、サブ領域ＲｇＳ１，ＲｇＳ２，ＲｇＳ３に対応付けられている。
【０１３４】
各光源ユニット２０Ａは、ｕ個の光源２Ｌｇと、ｕ個の光源２Ｌｂとを含む。各光源ユニット２０Ａのｕ個の光源２Ｌｇは、Ｚ軸方向に並ぶように設けられる。各光源ユニット２０Ａのｕ個の光源２Ｌｇは、それぞれ、ｕ個の基板ＳＢ１に設けられる。
【０１３５】
また、各光源ユニット２０Ａのｕ個の光源２Ｌｂも、Ｚ軸方向に並ぶように設けられる。各光源ユニット２０Ａのｕ個の光源２Ｌｂは、それぞれ、ｕ個の基板ＳＢ１に設けられる。
【０１３６】
光源２Ｌｇおよび光源２Ｌｂは、それぞれ、２種類の色光を出射する。具体的には、光源２Ｌｇは、緑色光を射出する。光源２Ｌｂは、青色光を出射する。
【０１３７】
光源２Ｌｇおよび光源２Ｌｂの各々は、ＬＥＤである。以下においては、光源２Ｌｇ，２Ｌｂの各々を、「光源２Ｌ」ともいう。光源２Ｌは、当該光源２Ｌに電流が供給されることにより色光を射出する。光源２Ｌに供給される電流の量が変化することにより、当該色光の光量は変化する。すなわち、光源２Ｌは、当該光源２Ｌが射出する色光の光量を変化させる機能を有する。
【０１３８】
光制御部３０は、各光源部１２Ｒに含まれる全ての光源２ｒを駆動させるように構成される。光制御部３０は、詳細は後述するが、各光源部１２Ｒに含まれる各光源２ｒが射出する赤色光の光量を制御する機能を有する。赤色光は、３種類の色光（赤色光、緑色光および青色光）の一部である。
【０１３９】
光制御部３０は、光源部１２０Ａに含まれる全ての光源ユニット２０Ａを駆動させるように構成される。光制御部３０は、詳細は後述するが、光源部１２０Ａに含まれる各光源ユニット２０Ａが射出する緑色光および青色光の光量を制御する機能を有する。当該緑色光および青色光は、３種類の色光（赤色光、緑色光および青色光）の一部である。
【０１４０】
前述したように、光源２ｒを駆動させるための電流は、「駆動電流Ｉｒ」である。以下においては、光源２Ｌｇを駆動させるための電流を、「駆動電流Ｉｇ」ともいう。また、以下においては、光源２Ｌｂを駆動させるための電流を、「駆動電流Ｉｂ」ともいう。また、以下においては、駆動電流Ｉｒ，Ｉｇ，Ｉｂの各々を、単に、「駆動電流Ｉ」ともいう。
【０１４１】
前述したように、駆動電流Ｉｒの電流値は、駆動電流値Ｉｖｒである。また、前述したように、駆動電流Ｉｇの電流値は、駆動電流値Ｉｖｇである。また、前述したように、駆動電流Ｉｂの電流値は、駆動電流値Ｉｖｂである。以下においては、駆動電流値Ｉｖｒ，Ｉｖｇ，Ｉｖｂの各々を、単に、「駆動電流値Ｉｖ」ともいう。
【０１４２】
光制御部３０は、予め、駆動電流値Ｉｖｒ，Ｉｖｇ，Ｉｖｂを記憶している。光制御部３０は、駆動電流値Ｉｖｒに基づいて、各光源部１２Ｒに含まれる各光源２ｒを独立して駆動させる機能を有する。具体的には、光制御部３０は、各光源部１２Ｒに含まれる各光源２ｒに、それぞれ、駆動電流Ｉｒを供給する。各光源２ｒは、駆動電流Ｉｒが供給されることにより、レーザー光である赤色光を射出する。
【０１４３】
また、光制御部３０は、駆動電流値Ｉｖｇ，Ｉｖｂに基づいて、各光源ユニット２０Ａに含まれる、各光源２Ｌｇおよび各光源２Ｌｂを独立して駆動させる機能を有する。具体的には、光制御部３０は、各光源ユニット２０Ａに含まれる各光源２Ｌｇに駆動電流Ｉｇを供給し、かつ、各光源ユニット２０Ａに含まれる各光源２Ｌｂに駆動電流Ｉｂを供給する。これにより、各光源２Ｌｇは、緑色光を射出し、各光源２Ｌｂは、青色光を射出する。
【０１４４】
制御部４０は、映像表示装置１０００Ａ内の各部を制御する機能を有する。制御部４０Ａは、例えば、光制御部３０を制御する。また、制御部４０は、各種の演算、各種処理等を行う機能を有する。
【０１４５】
各光源ユニット２０Ａは、導光板５３の背面５３ｃに向けて、緑色光および青色光を射出する。具体的には、各光源ユニット２０Ａは、平面視（ＸＺ面）において、当該光源ユニット２０Ａに対応するサブ領域ＲｇＳと重なる、背面５３ｃの一部の領域に向けて、緑色光および青色光を射出する。以下においては、平面視（ＸＺ面）においてサブ領域ＲｇＳと重なる、背面５３ｃの一部の領域を、「光照射領域Ｒｇ３」ともいう。
【０１４６】
例えば、光源ユニット２０Ａ１は、平面視（ＸＺ面）においてサブ領域ＲｇＳ１と重なる、背面５３ｃの一部の領域（光照射領域Ｒｇ３）に向けて、緑色光および青色光を射出する。これにより、緑色光および青色光が導光板５３に入射する。
【０１４７】
導光板５３は、各サブ領域ＲｇＳに対応付けられている各光源ユニット２０Ａが射出する２種類の色光（緑色光および青色光）を合成して、光Ｌｔｇｂを生成するように構成される。当該２種類の色光は、導光板５３に入射される光である。導光板５３により、各サブ領域ＲｇＳに対応する光Ｌｔｇｂが生成される。当該光Ｌｔｇｂの平面視（ＸＺ面）における形状は、矩形状である。
【０１４８】
また、導光板５３は、各サブ領域ＲｇＳに対応する光Ｌｔｇｂを、導光板５２の背面５２ｃに向けて射出するように、構成される。
【０１４９】
例えば、導光板５３は、サブ領域ＲｇＳ１に対応付けられている光源ユニット２０Ａ１が、サブ領域ＲｇＳ１に対応する光照射領域Ｒｇ３に向けて射出する２種類の色光（緑色光および青色光）を合成して、光Ｌｔｇｂを生成する。
【０１５０】
当該光Ｌｔｇｂは、サブ領域ＲｇＳ１に対応する。当該光Ｌｔｇｂの平面視（ＸＺ面）における形状は、例えば、図８に示されるサブ領域ＲｇＳ１の形状である。サブ領域ＲｇＳ１の形状は、Ｚ方向に沿った長辺を有する長方形（以下、「長方形Ｒｃｔ」ともいう）である。
【０１５１】
そして、導光板５３は、各サブ領域ＲｇＳに対応する、生成した光Ｌｔｇｂを、導光板５２の背面５２ｃに向けて射出する。これにより、各サブ領域ＲｇＳに対応する光Ｌｔｇｂが、導光板５２に入射する。
【０１５２】
導光板５２は、当該導光板５２に入射される各赤色光と、当該導光板５２に入射される各光Ｌｔｇｂとを合成して、光Ｌｔｗ（白色光）を生成するように、構成される。これにより、導光板５２は、各赤色光と、各光Ｌｔｇｂとを合成して、各サブ領域ＲｇＳに対応する光Ｌｔｗを生成する。当該光Ｌｔｗの平面視（ＸＺ面）における形状は、矩形状である。
【０１５３】
また、導光板５２は、各サブ領域ＲｇＳに対応する光Ｌｔｗを、表示パネル１０に向けて射出するように、構成される。
【０１５４】
例えば、導光板５３は、各赤色光と、サブ領域ＲｇＳ１に対応する光Ｌｔｇｂとを合成して、サブ領域ＲｇＳ１に対応する光Ｌｔｗを生成する。生成された光Ｌｔｗの平面視（ＸＺ面）における形状は、例えば、図８に示されるサブ領域ＲｇＳ１の形状である。
【０１５５】
そして、導光板５２は、各サブ領域ＲｇＳに対応する、生成した光Ｌｔｗを、表示パネル１０に向けて射出する。以下においては、表示面１０ｓ全体に表示される映像を、「表示面映像」ともいう。表示パネル１０は、導光板５２からの各光Ｌｔｗを使用して、表示面映像を生成し、当該表示面映像を、表示面１０ｓに表示する。
【０１５６】
センサーＳｎ１，Ｓｎ２，Ｓｎ３は、それぞれ、サブ領域ＲｇＳ１，ＲｇＳ２，ＲｇＳ３に対応付けられている。すなわち、映像表示装置１０００Ａは、サブ領域ＲｇＳ１，ＲｇＳ２，ＲｇＳ３にそれぞれ対応するセンサーＳｎ１，Ｓｎ２，Ｓｎ３を備える。センサーＳｎ１，Ｓｎ２，Ｓｎ３は、光源部１２０Ａの背面側に設けられる。
【０１５７】
前述したように、センサーＳｎ１，Ｓｎ２，Ｓｎ３，Ｓｎ４の各々は、センサーＳｎである。すなわち、映像表示装置１０００Ａは、ｋ個のセンサーＳｎを備える。本実施の形態では、ｋは、一例として、３である。センサーＳｎの機能は、実施の形態１で説明した機能と同様である。例えば、各センサーＳｎは、当該センサーＳｎに対応するサブ領域ＲｇＳの中心サブ領域光の輝度および色度を特定可能なように構成される。
【０１５８】
映像表示装置１０００Ａにおいて、実施の形態１と同様に、各センサーＳｎは、平面視（ＸＺ面）において、当該センサーＳｎに対応するサブ領域ＲｇＳの中心部に配置される。例えば、センサーＳｎ１は、当該センサーＳｎ１に対応するサブ領域ＲｇＳ１の中心部に配置される。なお、各センサーＳｎは、平面視（ＸＺ面）において、当該センサーＳｎに対応するサブ領域ＲｇＳの中心に配置されてもよい。
【０１５９】
なお、実施の形態１と同様に、センサーＳｎ１のＹ軸方向の位置は、サブ領域ＲｇＳ１のＹ軸方向の位置と異なる。なお、Ｙ軸方向において、各センサーＳｎは、実施の形態１と同様に、当該センサーＳｎに対応するサブ領域ＲｇＳから、距離Ｌｘだけ離れている。センサーＳｎ２，Ｓｎ３の各々も、センサーＳｎ１と同様な位置に設けられる。
【０１６０】
実施の形態１と同様、映像表示装置１０００Ａの各センサーＳｎは、当該センサーＳｎに対応するサブ領域ＲｇＳの輝度および色度を特定する。そして、各センサーＳｎは、実施の形態１と同様、中心サブ領域光の輝度および色度を、制御部４０へ送信する。
【０１６１】
なお、映像表示装置１０００Ａが備えるセンサーＳｎの数は、３に限定されない。映像表示装置１０００Ａが備えるセンサーＳｎの数は、２，４以上であってもよい。
【０１６２】
反射シートＳＨ１は、光源部１２０Ａの背面側に設けられる。反射シートＳＨ１は、導光板５３へ入射される、光源部１２０Ａが射出する光の量を増加させるためのシートである。反射シートＳＨ１の存在により、光源部１２０Ａの利用効率が高まる。
【０１６３】
フレームＦＬ１は、反射シートＳＨ１、各センサーＳｎおよび光源部１２０Ａを収容するように構成される。フレームＦＬ１は、例えば、金属で構成される。
【０１６４】
次に、映像表示装置１０００Ａが行う処理（以下、「制御処理Ａ」ともいう）について説明する。図１０は、本発明の実施の形態２に係る制御処理Ａのフローチャートである。制御処理Ａでは、表示面１０ｓに白のベタ画像が表示された状態で、輝度および色度を制御（調整）される。図１０において、図６のステップ番号と同じステップ番号の処理は、実施の形態１で説明した処理と同様な処理が行われるので詳細な説明は繰り返さない。
【０１６５】
ここで、以下の前提Ｐｒ２を考慮する。前提Ｐｒ２では、表示面１０ｓが有するサブ領域ＲｇＳの数を示すｋは、３である。そのため、映像表示装置１０００Ａが備えるセンサーＳｎの数を示すｋは３である。前提Ｐｒ２では、制御部４０は、目標色度Ｃｔを予め記憶している。
【０１６６】
次に、前提Ｐｒ２における制御処理Ａについて説明する。制御処理Ａでは、まず、ステップＳ１１０Ａの処理が行われる。
【０１６７】
ステップＳ１１０Ａでは、発光処理Ａが行われる。発光処理Ａでは、光制御部３０は、各光源部１２Ｒに含まれる各光源２ｒを発光させる。また、光制御部３０が、各光源ユニット２０Ａに含まれる、各光源２Ｌｇおよび各光源２Ｌｂを発光させる。
【０１６８】
各光源２ｒを発光させるための処理、各光源２Ｌｇを発光させる処理、および、各光源２Ｌｂを発光させる処理は、前述のステップＳ１１０と同様な処理である。すなわち、光制御部３０が、駆動電流Ｉを、各光源２ｒ、各光源２Ｌｇ、各光源２Ｌｂへ供給する。
【０１６９】
これにより、各光源部１２Ｒに含まれる各光源２ｒが赤色光を射出する。また、各光源ユニット２０Ａに含まれる各光源２Ｌｇが緑色光を射出する。また、各光源ユニット２０Ａに含まれる各光源２Ｌｂが青色光を射出する。その結果、前述したように、導光板５３，５２により、光Ｌｔｗが、表示パネル１０に向けて射出される。
【０１７０】
そして、実施の形態１と同様に、ステップＳ１２０，Ｓ１３０，Ｓ１４０，Ｓ１５０，Ｓ１６０の処理が行われる。ステップＳ１６０の光制御処理は、映像表示装置１０００Ａに含まれる複数の光源ユニット２０Ａの一部を制御して、複数種類の色光の少なくとも１つの色光の光量を制御することにより、表示面１０ｓの輝度および色度を部分的に制御する処理である。
【０１７１】
そして、映像品質条件Ａが満たされるまで（ステップＳ１５０でＹＥＳ）、ステップＳ１３０，Ｓ１４０，Ｓ１６０の処理が繰り返し行われる。そして、映像品質条件が満たされると、この制御処理Ａは終了する。
【０１７２】
例えば、サブ領域ＲｇＳ１に対応する色度Ｃｎが、青の成分をわずかに含む色度であると仮定する。この場合、光制御処理では、映像品質条件が満たされるまで、サブ領域ＲｇＳ１に対応付けられた光源ユニット２０Ａ１に含まれる各光源２Ｌｂが射出する青色光の光量を低下させる処理が行われる。
【０１７３】
以上のようにして制御処理Ａが行われることにより、映像表示装置１０００Ａは、ｋ個のセンサーＳｎにより特定された、ｋ個の輝度Ｙｎ、および、ｋ個の色度Ｃｎに基づいて、光制御処理を行う。
【０１７４】
以上説明したように、本実施の形態によれば、赤色光を射出する光源２ｒがレーザー光源であり、緑色光および青色光をそれぞれ射出する光源２Ｌｇおよび光源２Ｌｂの各々がＬＥＤである構成においても、実施の形態１と同様な効果が得られる。すなわち、本実施の形態の映像表示装置１０００Ａは、表示面の輝度および色度を部分的に制御することができる。
【０１７５】
また、本実施の形態によれば、実施の形態１と同様、映像表示装置１０００Ａは、ｋ個のセンサーＳｎにより特定された、ｋ個の輝度Ｙｎ、および、ｋ個の色度Ｃｎに基づいて、光制御処理を行う。
【０１７６】
これにより、表示映像に、輝度ムラおよび色ムラが存在する場合でも、当該輝度ムラおよび色ムラを低減することができる。例えば、ｋ個のサブ領域ＲｇＳのいずれかに対応付けられた光源ユニット２０に含まれる光源２Ｌの特性、または、光源２ｒの特性が、経時劣化等により、低下した場合でも、当該輝度ムラおよび色ムラを低減することができる。
【０１７７】
なお、本発明は、その発明の範囲内において、各実施の形態を自由に組み合わせたり、各実施の形態を適宜、変形、省略することが可能である。
【０１７８】
例えば、映像表示装置１０００，１０００Ａの各々は、液晶ディスプレイであることに限定されない。映像表示装置１０００，１０００Ａの各々は、赤色光、緑色光および青色光を利用し、赤色光、緑色光および青色光の光量を制御する機能を有する他のディスプレイであってもよい。映像表示装置１０００，１０００Ａの各々は、例えば、プラズマディスプレイであってもよい。この場合、映像表示装置１０００，１０００Ａの各々に含まれる表示パネル１０は、プラズマディスプレイパネルである。
【０１７９】
また、映像表示装置１０００，１０００Ａの各々は、有機ＥＬ（Electroluminescence）ディスプレイであってもよい。この場合、映像表示装置１０００，１０００Ａの各々に含まれる表示パネル１０は、有機ＥＬディスプレイパネルである。
【０１８０】
また、映像表示装置１０００，１０００Ａの各々に含まれる制御部４０のかわりに、ＰＣ（Personal Computer）が使用される構成としてもよい。当該ＰＣは、制御部４０と同じ処理を行う。
【０１８１】
また、映像表示装置１０００において、光源部１２０ａおよび光源部１２０ｂは、それぞれ、導光板５１の上部の側面側、および、導光板５１の下部の側面側に設ける構成としてもよい。この場合、表示面１０ｓは、例えば、４行１列の行列状に配置される４個のサブ領域ＲｇＳを含む構成において、実施の形態１と同様に、制御処理Ｎを行うことができる。
【０１８２】
また、各センサーＳｎは、例えば、表示面１０ｓに対し着脱自在に構成されてもよい。当該構成では、制御処理Ｎまたは制御処理Ａが行われる場合のみ、表示面１０ｓの各サブ領域ＲｇＳの中心部にセンサーＳｎが取付けられる。
【０１８３】
また、映像表示装置１０００では、導光板５１により赤色光、緑色光および青色光を合成する構成としたがこれに限定されない。例えば、赤色光、緑色光および青色光を合成するためのレンズを、各光源ユニット２０に対応づけて設ける構成としてもよい。当該構成では、当該レンズにより、赤色光、緑色光および青色光が合成されて白色光が生成される。そして、生成された白色光は、導光板５１に入射する。また、導光板５１は、白色光を、表示パネル１０に向けて射出するように、構成される。
【符号の説明】
【０１８４】
２，２ｂ，２ｇ，２Ｌ，２Ｌｂ，２Ｌｇ，２ｒ  光源、１０  表示パネル、１０ｓ  表示面、２０，２０Ａ，２０Ａ１，２０Ａ２，２０Ａ３  光源ユニット、３０  光制御部、５１，５２，５３  導光板、１０００，１０００Ａ  映像表示装置、ＲｇＳ，ＲｇＳ１，ＲｇＳ１ａ，ＲｇＳ２，ＲｇＳ３，ＲｇＳ４  サブ領域、Ｓｎ，Ｓｎ１，Ｓｎ２，Ｓｎ３，Ｓｎ４  センサー。
【図１】
2017083630.tif 000003
【図２】
2017083630.tif 000004
【図３】
2017083630.tif 000005
【図４】
2017083630.tif 000006
【図５】
2017083630.tif 000007
【図６】
2017083630.tif 000008
【図７】
2017083630.tif 000009
【図８】
2017083630.tif 000010
【図９】
2017083630.tif 000011
【図１０】
2017083630.tif 000012